(57)【要約】【課題】  購入者が希望する抽せん番号等の証票（宝くじ等）の購入申込を容易に行うことができ、また、購入者の希望にあわせた証票を効果的に製造し、発送することができる証票発行システムを提供する。【解決手段】  証票発行システム１０では、Ｗｅｂページを介して、購入者端末１から、証票の種類、希望番号、購入枚数に関する購入申込条件の情報を受信し、証票の在庫情報等を記録した証票情報ＤＢ１７を参照し、購入申込条件に合致する証票の在庫があるか否かを判定する。そして、在庫がないと判定された場合に、証票の組番号を変更し、組番号を変更しても在庫がない場合には、希望番号と合っている桁が多い番号の在庫があるか否かを判定する。そして、購入者端末に確認を行った後、証票の組み合わせを決定する。【選択図】  図１
2006285558.tif 000002
【特許請求の範囲】
【請求項１】
購入者端末からの証票の購入申込を受け付け、該購入申込に応じて証票を発行する証票発行システムであって、
発行する証票に関する情報と在庫情報を証票情報データベースに記録する手段と、
前記購入者端末から、少なくとも証票の種類、希望番号、購入枚数に関する購入申込条件の情報を受信する購入申込受付手段と、
購入者端末から購入申込条件の情報を受信した場合に、前記証票情報データベースを参照し、前記購入申込条件に合致する証票の在庫があるか否かを判定する在庫判定手段と、
前記在庫判定手段により購入申込条件に合致する証票の在庫がないと判定された場合に、
証票の組番号を変更して在庫があるか否かを判定する手段と、
組番号を変更しても在庫がない場合には、希望番号と合っている桁が多い番号の在庫があるか否かを判定する手段と、
前記組番号を変更した証票または前記希望番号と合っている桁が多い番号の証票について、発行する証票の組み合わせを決定する手段と、
を備えることを特徴とする証票発行システム。
【請求項２】
前記組番号を変更した証票または前記希望番号と合っている桁が多い番号の証票の情報を前記購入者端末に送信し、該証票を購入するか否かを選択するための画面を購入者端末に表示する手段と、
前記組番号を変更した証票または前記希望番号と合っている桁が多い番号の証票を購入するか否かの選択情報を、前記購入者端末から受信する手段と、
前記購入者端末から、前記組番号を変更した証票または前記希望番号と合っている桁が多い番号の証票を購入する旨の情報を受信した場合に、発行する証票の組み合わせを決定する手段と、
を備えることを特徴とする請求項１に記載の証票発行システム。
【請求項３】
前記在庫判定手段により購入申込条件に合致する証票の在庫がないと判定された場合に、
前記購入申込条件に合致する証票の購入予約を行うか否かを選択するための画面を購入者端末に表示する手段と、
前記購入者端末から、購入予約するか否かの選択情報を受信する手段と、
前記購入者端末から、購入予約する旨の情報を受信した場合に、前記購入申込条件に合致する証票の予約情報を前記証票情報データベースに記録する手段と、
前記証票情報データベースに記録された証票の予約情報を参照し、証票の追加発行を行うかどうかを判定する手段と
を備えることを特徴とする請求項１または請求項２に記載の証票発行システム。
【請求項４】
前記在庫判定手段により一部の購入申込条件に合致する証票しかないと判定された場合に、
前記在庫に存在する一部の証票の情報を前記購入者端末に送信し、該証票を購入するか否かを選択するための画面を購入者端末に表示する手段と、
前記購入者端末から、前記在庫に存在する一部の証票を購入するか否かの選択情報を受信する手段と、
前記購入者端末から、前記在庫に存在する一部の証票を購入する旨の情報を受信した場合に、発行する証票の組み合わせを決定する手段と
を備えることを特徴とする請求項１から請求項３のいずれかに記載の証票発行システム。
【請求項５】
前記証票の購入代金の決済を行う電子決済サーバを備えること
を特徴とする請求項１から請求項４のいずれかに記載の証票発行システム。
【請求項６】
前記購入者に販売する証票ごとに袋詰管理番号を付与する手段と、
前記袋詰管理番号にしたがって証票の袋詰めを行うように指示する手段と、
前記袋詰めされた証票を購入者の情報にしたがって発送するように指示する手段と
を備えることを特徴とする請求項１から請求項５のいずれかに記載の証票発行システム。
【請求項７】
購入者端末からの証票の購入申込を受け付け、該購入申込に応じて証票を発行する証票発行システムにおける証票発行方法であって、
発行する証票に関する情報と在庫情報を証票情報データベースに記録し、
前記購入者端末から、少なくとも証票の種類、希望番号、購入枚数に関する購入申込条件の情報を受信し、
購入者端末から購入申込条件の情報を受信した場合に、前記証票情報データベースを参照し、前記購入申込条件に合致する証票の在庫があるか否かを判定し、
前記在庫判定手段により購入申込条件に合致する証票の在庫がないと判定された場合に、
証票の組番号を変更して在庫があるか否かを判定し、
組番号を変更しても在庫がない場合には、希望番号と合っている桁が多い番号の在庫があるか否かを判定し、
前記組番号を変更した証票または前記希望番号と合っている桁が多い番号の証票について、発行する証票の組み合わせを決定する
ことを特徴とする証票発行方法。
【請求項８】
購入者端末からの証票の購入申込を受け付け、該購入申込に応じて証票を発行する証票発行システム内のコンピュータに、
発行する証票に関する情報と在庫情報を証票情報データベースに記録する処理と、
前記購入者端末から、少なくとも証票の種類、希望番号、購入枚数に関する購入申込条件の情報を受信する処理と、
購入者端末から購入申込条件の情報を受信した場合に、前記証票情報データベースを参照し、前記購入申込条件に合致する証票の在庫があるか否かを判定する処理と、
前記在庫判定手段により購入申込条件に合致する証票の在庫がないと判定された場合に、
証票の組番号を変更して在庫があるか否かを判定する処理と、
組番号を変更しても在庫がない場合には、希望番号と合っている桁が多い番号の在庫があるか否かを判定する処理と、
前記組番号を変更した証票または前記希望番号と合っている桁が多い番号の証票について、発行する証票の組み合わせを決定する処理と、
を実行させるためのプログラム。
【発明の詳細な説明】
【技術分野】
【０００１】
本発明は、証票発行システム、証票発行方法、およびプログラムに関し、特に、購入者が希望する抽せん番号等の証票（宝くじ等）の購入申込を容易に行うことができ、また、購入者の希望にあわせた証票を効果的に製造し、発送することができる、証票発行システム、証票発行方法、およびプログラムに関するものである。
【背景技術】
【０００２】
従来提案されているランダムな抽せん番号を印字し、かつそのデータを利用して証票を管理する技術では、決められた通りに証票を製造していたので、購入者の希望にあわせて証票を製造することはできなかった。
【０００３】
一方で、好きな番号を選んで宝くじの予約が行える宝くじナンバーサービスが盛んになりつつあり、購入者が希望する番号等の宝くじの購入申込を容易に行うことができ、また、購入者の希望にあわせ宝くじを効果的に製造し、発送することができる証票発行システムの提供が望まれていた。なお、抽せん券の発行やその抽せん券の番号の印字を行う技術として特許文献１が公開されている。
【特許文献１】特開２００２−３７６４２６号公報
【発明の開示】
【発明が解決しようとする課題】
【０００４】
本発明はこのような問題を解決するためになされたもので、その目的は、購入者が希望する番号の証票（宝くじ等）の購入申込を容易に行うことができ、また、購入者の希望にあわせた証票を効果的に製造し、発送することができる、証票発行システム、証票発行方法、およびプログラムを提供することにある。
【課題を解決するための手段】
【０００５】
本発明は、上述の課題を解決すべくなされたもので、購入者端末からの証票の購入申込を受け付け、該購入申込に応じて証票を発行する証票発行システムであって、発行する証票に関する情報と在庫情報を証票情報データベースに記録する手段と、前記購入者端末から、少なくとも証票の種類、希望番号、購入枚数に関する購入申込条件の情報を受信する購入申込受付手段と、購入者端末から購入申込条件の情報を受信した場合に、前記証票情報データベースを参照し、前記購入申込条件に合致する証票の在庫があるか否かを判定する在庫判定手段と、前記在庫判定手段により購入申込条件に合致する証票の在庫がないと判定された場合に、証票の組番号を変更して在庫があるか否かを判定する手段と、組番号を変更しても在庫がない場合には、希望番号と合っている桁が多い番号の在庫があるか否かを判定する手段と、前記組番号を変更した証票または前記希望番号と合っている桁が多い番号の証票について、発行する証票の組み合わせを決定する手段と、を備えることを特徴とする証票発行システムである。
【０００６】
また本発明は、前記組番号を変更した証票または前記希望番号と合っている桁が多い番号の証票の情報を前記購入者端末に送信し、該証票を購入するか否かを選択するための画面を購入者端末に表示する手段と、前記組番号を変更した証票または前記希望番号と合っている桁が多い番号の証票を購入するか否かの選択情報を、前記購入者端末から受信する手段と、前記購入者端末から、前記組番号を変更した証票または前記希望番号と合っている桁が多い番号の証票を購入する旨の情報を受信した場合に、発行する証票の組み合わせを決定する手段と、を備えることを特徴とする。
【０００７】
また本発明は、前記在庫判定手段により購入申込条件に合致する証票の在庫がないと判定された場合に、前記購入申込条件に合致する証票の購入予約を行うか否かを選択するための画面を購入者端末に表示する手段と、前記購入者端末から、購入予約するか否かの選択情報を受信する手段と、前記購入者端末から、購入予約する旨の情報を受信した場合に、前記購入申込条件に合致する証票の予約情報を前記証票情報データベースに記録する手段と、前記証票情報データベースに記録された証票の予約情報を参照し、証票の追加発行を行うかどうかを判定する手段とを備えることを特徴とする。
【０００８】
また本発明は、前記在庫判定手段により一部の購入申込条件に合致する証票しかないと判定された場合に、前記在庫に存在する一部の証票の情報を前記購入者端末に送信し、該証票を購入するか否かを選択するための画面を購入者端末に表示する手段と、前記購入者端末から、前記在庫に存在する一部の証票を購入するか否かの選択情報を受信する手段と、前記購入者端末から、前記在庫に存在する一部の証票を購入する旨の情報を受信した場合に、発行する証票の組み合わせを決定する手段とを備えることを特徴とする。
【０００９】
また本発明は、前記証票の購入代金の決済を行う電子決済サーバを備えることを特徴とする。
【００１０】
また本発明は、前記購入者に販売する証票ごとに袋詰管理番号を付与する手段と、前記袋詰管理番号にしたがって証票の袋詰めを行うように指示する手段と、前記袋詰めされた証票を購入者の情報にしたがって発送するように指示する手段とを備えることを特徴とする。
【００１１】
また本発明は、購入者端末からの証票の購入申込を受け付け、該購入申込に応じて証票を発行する証票発行システムにおける証票発行方法であって、発行する証票に関する情報と在庫情報を証票情報データベースに記録し、前記購入者端末から、少なくとも証票の種類、希望番号、購入枚数に関する購入申込条件の情報を受信し、購入者端末から購入申込条件の情報を受信した場合に、前記証票情報データベースを参照し、前記購入申込条件に合致する証票の在庫があるか否かを判定し、前記在庫判定手段により購入申込条件に合致する証票の在庫がないと判定された場合に、証票の組番号を変更して在庫があるか否かを判定し、組番号を変更しても在庫がない場合には、希望番号と合っている桁が多い番号の在庫があるか否かを判定し、前記組番号を変更した証票または前記希望番号と合っている桁が多い番号の証票について、発行する証票の組み合わせを決定することを特徴とする証票発行方法である。
【００１２】
また本発明は、購入者端末からの証票の購入申込を受け付け、該購入申込に応じて証票を発行する証票発行システム内のコンピュータに、発行する証票に関する情報と在庫情報を証票情報データベースに記録する処理と、前記購入者端末から、少なくとも証票の種類、希望番号、購入枚数に関する購入申込条件の情報を受信する処理と、購入者端末から購入申込条件の情報を受信した場合に、前記証票情報データベースを参照し、前記購入申込条件に合致する証票の在庫があるか否かを判定する処理と、前記在庫判定手段により購入申込条件に合致する証票の在庫がないと判定された場合に、証票の組番号を変更して在庫があるか否かを判定する処理と、組番号を変更しても在庫がない場合には、希望番号と合っている桁が多い番号の在庫があるか否かを判定する処理と、前記組番号を変更した証票または前記希望番号と合っている桁が多い番号の証票について、発行する証票の組み合わせを決定する処理と、を実行させるためのプログラムである。
【発明の効果】
【００１３】
本発明によれば、購入者端末から、証票の種類、希望番号、購入枚数に関する購入申込条件の情報を受信し、証票の在庫情報等を記録した証票情報データベースを参照し、購入申込条件に合致する証票の在庫があるか否かを判定し、在庫がある場合には、発行する証票の組み合わせを決定する。そして、この処理において、購入申込条件に合致する証票の在庫がない場合に、証票の組番号を変更して在庫があるか否かを判定し、組番号を変更しても在庫がない場合は、希望番号と合っている桁が多い番号の在庫があるか否かを判定する。そして、在庫がある場合は、購入者端末から証票を購入するか否かの確認情報を受信し、証票を購入する場合には、発行する証票の組み合わせを決定する。
これにより、購入者が希望する抽せん番号の証票の在庫がない場合でも、購入者の希望に近い番号の証票を発行できるようになる。
【００１４】
また、本発明によれば、購入申込条件に合致する証票の在庫がない場合に、購入申込条件に合致する証票の購入予約を行うか否かの情報を、購入者端末から受信する。そして、証票を予約する場合には、予約情報を証票情報データベースに登録し、追加発行する。
これにより、購入者が希望するランダムな抽せん番号の証票が販売済みの場合でも、追加発行することにより、その購入者が希望する抽せん番号の証票を販売することができる。
【００１５】
また、本発明によれば、購入申込条件に合致する証票の在庫が一部のみしかない場合に、該一部の証票のみを購入するか否かの確認情報を、購入者端末から受信する。そして、証票を購入する場合には、発行する証票の組み合わせを決定する。
これにより、購入者が希望するランダムな抽せん番号の証票の在庫が一部のみしかない場合でも、この一部の証票を購入申込者に対して発行できるようになる。
【００１６】
また、本発明によれば、証票の購入代金の決済を行う電子決済サーバを備えるようにしたので、これにより、証票の購入代金の決済を容易かつ効率的に行えるようになる。
【００１７】
また、本発明によれば、購入者に販売する証票ごとに袋詰管理番号を付与し、該袋詰管理番号にしたがって証票の袋詰めを行い、購入者宛てに発送するようにしたので、これにより、購入者が希望するランダムな抽せん番号の証票を容易に袋詰めして、発送できるようになる。
【発明を実施するための最良の形態】
【００１８】
次に本発明を実施するための最良の形態について図面を参照して説明する。
【００１９】
図１は、本発明の証票発行システムの構成例を示すブロック図である。証票発行システム１０には、ブラウザを搭載した購入者端末（登録した会員の端末装置）１がインターネットなどの通信ネッワーク２を介して通信接続される。また、証票発行システム１０には、会員による証票（宝くじ等）の購入代金の決済を行うための電子決済サーバが接続されている。なお、購入者端末１は、ＰＣ（パーソナルコンピュータ）や携帯電話などの携帯情報端末である。
【００２０】
また、証票発行システム１０内には、受付管理部１１、購入管理部１２、決済管理部１３、製造管理部１４、販売状況管理部１５、文書作成／送付部１６、証票情報ＤＢ（データベース）１７、および会員ＤＢ（データベース）１８が設けられている。
【００２１】
受付管理部１１には、Ｗｅｂページ公開部（Ｗｅｂページ公開手段）１１ａと、購入申込受付部（購入申込受付手段）１１ｂ等が含まれている。Ｗｅｂページ公開部１１ａは、通信ネッワーク上にＷｅｂページを公開する。購入申込受付部１１ｂは、Ｗｅｂページを介して、購入者端末１からのアクセスを受け付け、また、ユーザが購入可能な証票（宝くじ等）のリストの情報を購入者端末１に送信し、購入者端末１のブラウザ画面に表示する。
【００２２】
また、受付管理部１１は、その他の機能として、購入管理部１２に対して、証票情報ＤＢ１７を参照して在庫があるか否かを判定し、販売する証票の組み合わせを決定するよう指示する。また、購入者端末１に購入申し込み受付完了を送信（通知）するとともに、購入管理部１２に対して、証票情報ＤＢ１７の証票データを更新するよう指示する。さらに、文書作成／送付部１６に対して、「証票購入明細書（宝くじ購入明細書等）」を作成し、購入者端末１に送信するよう指示する。
【００２３】
購入管理部１２は、在庫判定部（在庫判定手段）１２ａと、証票組合せ決定部（証票組合せ決定手段）１２ｂと、証票情報更新部１２ｃとを有している。在庫判定部１２ａは、受付管理部１１からの指示により、証票情報ＤＢ１７を参照し、購入希望の対象となる証票の在庫があるか否かの判定を行う。証票組合せ決定部１２ｂは、証票情報ＤＢ１７を参照し、販売する証票の組み合わせを決定する。また、証票情報更新部１２ｃは証票情報ＤＢ１７の証票データを更新するなどの処理を行う。
【００２４】
決済管理部１３は、会員の証票購入に関する代金の決済に関する処理を行う。これにより、電子決済サーバ３において、購入代金の電子決済が実行される。
【００２５】
製造管理部１４は、証票の製造時に、同一購入者の証票データを集めて印字情報を生成し、この印字情報にしたがって証票を印字するための処理を行う。また、袋詰管理番号にしたがって袋詰めを行うように指示し、購入者の情報にしたがって発送するように指示する処理を行う。
【００２６】
販売状況管理部１５は、販売状況や予約状況を管理し、証票情報ＤＢ１７に記録する。また、販売状況や予約状況から証票を追加発行するかどうか判定する処理を行う。文書作成／送付部１６は、「証票購入明細書（宝くじ購入明細書等）」を電子化ドキュメントとして作成し、会員ＤＢ１８に格納されたメールアドレス宛に、明細書を配信する。
【００２７】
証票情報ＤＢ１７は、くじ情報や証票データを記録したデータベースである。会員ＤＢ１８は、登録した会員のＩＤ、パスワード、および個人属性情報（住所、氏名、メールアドレス等）を記録したデータベースである。
【００２８】
また、図２は、くじ情報と証票データの例を示す図であり、証票情報ＤＢ１７に記録される情報である。
図２（ａ）に示すくじ情報の各項目は次の通りである。
ブロック・回別は、くじの発売単位を示している。販売開始日は、証票の販売開始日を示すデータである。販売終了日は、証票の販売終了日を示すデータである。支払開始日は、当せん金の支払開始日を示すデータである。支払終了日は、当せん金の支払終了日を示すデータである。なお、販売単位は、販売や抽せんの単位であり、追加発行する際の単位でもある。
【００２９】
また、図２（ｂ）に示す証票データの各項目は次の通りである。
「ブロック」「回別」は、くじの発売単位を示す。「整理番号」は、抽せん番号等の情報を含むデータである。「袋詰管理番号」は、各証票が収納される袋の識別番号を示すデータである。「印字情報」は、印字する順序等を含むデータである。「購入者コード」は、各証票の購入者を示す識別データである。「販売済み」は、証票の販売状況を表すデータであり、販売済みの場合には１のフラグがまた未販売の場合は０のフラグが記録される。
【００３０】
［証票発行システムの基本的な処理の流れ］
次に、証票発行システム１０における、証票の購入時の基本的な処理の流れについて説明する。図３は、証票の購入時の基本的な処理の流れを示すフローチャートである。以下、図３を参照して、その処理の流れについて説明する。
【００３１】
最初に、購入者が、購入者端末１から、証票発行システム１０のホームページ（Ｗｅｂページ）にアクセスすると、受付管理部１１は、購入者端末１のブラウザに会員認証用のモニタ画面を表示し、該モニタ画面上で、会員番号（会員ＩＤ）およびパスワードの入力を求める（ステップＳ１０１）。
【００３２】
受付管理部１１では、購入者端末１から会員番号とパスワードの情報を受信し、会員ＤＢ１８を検索することによってアクセス者が正規の会員であるかどうかを認証する（ステップＳ１０２）。
【００３３】
認証が正常に行われると、受付管理部１１は、購入管理部１２を介して証票情報ＤＢ１７からユーザが購入可能な証票のリストを読み出し、購入者端末１のモニタ画面に購入可能な証票のリストを提示した購入申し込み画面を表示する（ステップＳ１０３）。
【００３４】
購入申し込み画面を確認した会員は、購入者端末１に、購入を希望する証票の種類、購入希望番号や購入希望枚数を入力する（ステップＳ１０４）。なお、入力する購入希望番号は、組番号か抽せん番号のみ、もしくは組番号の一部や抽せん番号の一部のみでもかまわない。
【００３５】
受付管理部１１は、購入希望の証票の希望番号および枚数が在庫としてあるかどうかを、購入管理部１２に確認する（ステップＳ１０５）。例えば購入管理部１２は、証票情報ＤＢ１７において、購入希望番号と一致する抽せん番号を含む整理番号に対応付けられた「販売済み」フラグが、「０」：未販売を示しているか否かにより在庫としてあるかどうかを確認する。
【００３６】
購入希望の証票の希望番号および枚数が在庫としてない場合は、図４、図５、または図６に示す処理に移行する。なお、図４、図５、または図６に示す処理を行わないか、または、図４、図５、または図６に示す処理から戻り、ステップＳ１１１に移行した場合は、購入希望条件の変更が可能かどうかの問い合わせ画面を購入者端末１に表示し、会員が購入条件を変更することを選択した場合は、ステップＳ１０４に移行し、再度希望する証票、購入希望番号、購入希望枚数を会員が入力する。会員が購入条件の変更を希望しない場合は、証票購入受付の処理が終了される。
【００３７】
ステップＳ１０５において、購入希望の証票の希望番号および購入希望枚数の在庫を保有していると判定された場合は、会員に購入申し込み条件を確認した後（ステップＳ１０６）、受付管理部１１は、購入管理部１２へ販売する証票の組み合わせを決定するよう指示する。
【００３８】
そして購入管理部１２は、販売する証票を決定する（ステップＳ１０７）。なお、販売する証票を決定する際、購入者が希望する証票のすべての条件を指定していない場合は、販売単位が埋まるように販売する証票を決定する。例えば、「販売済み」フラグが未販売を示しており、希望番号の少なくとも一部が一致する番号を特定して、販売する証票と決定する。
【００３９】
販売する証票の決定後、会員の証票購入に関する代金の決済を行うように決済管理部１３に指示し、これにより、電子決済サーバ３において、購入代金の電子決済が実行される（ステップＳ１０８）。受付管理部１１は、購入者端末１に購入申し込み受付完了の情報を送信するとともに、購入管理部１２に対して、証票情報ＤＢ１７の証票データを更新するよう指示する（ステップＳ１０９）。
【００４０】
受付管理部１１は、文書作成／送付部１６に対して、「証票購入明細書（宝くじ購入明細書等）」を作成し、購入者端末１に送信するよう指示する。文書作成／送付部１６は、「証票購入明細書」を電子化ドキュメントとして作成し、会員ＤＢ１８に格納されたメールアドレス宛に、明細書を配信する（ステップＳ１１０）。この場合、必要に応じて、「証票購入明細書」をハード・コピーとして会員に郵送してもよい。
【００４１】
なお、証票の製造時には、製造管理部１４の処理機能により、同一購入者の証票データを集めて印字情報を生成し、この印字情報にしたがって証票の印字を行う。そして、袋詰管理番号にしたがって袋詰めを行い、会員ＤＢ１８に記録された購入者の個人情報（住所、氏名）にしたがって発送する。
【００４２】
［希望番号が販売済みの場合の処理（希望番号の自動変更を行う場合）］
次に、図３のステップＳ１０５において、購入希望の証票（宝くじ等）の希望番号および購入希望枚数の在庫を保有していないと判定された場合に、希望番号の自動変更処理を行う例について説明する。
【００４３】
図４は、希望番号の自動変更処理の流れを示すフローチャートである。以下、図４を参照して、その処理の流れについて説明する。
証票の希望番号および枚数が在庫に存在しないときに、希望番号の自動変更を設定している場合は、受付管理部１１は購入管理部１２へ希望番号の変更を指示する（ステップＳ２０１）。
【００４４】
受付管理部１１は、購入管理部１２を介して、組番号を変更して希望番号の証票が在庫に存在するかどうかを確認（判定）する（ステップＳ２０２）。この組番号の変更は所定のルールに基づいて行われるが、例えば組番号を１つ増やすなどの処理である。組番号を変更しても、希望番号の証票が在庫に存在しない場合は、希望番号と合っている桁が多い番号に変更し、在庫があるかどうかを確認（判定）する（ステップＳ２０３）。例えば希望番号において３桁の番号が指定されている場合にはその３桁の番号全ての番号を含む番号をランダムに生成して、在庫があるかどうかを確認する。ステップＳ２０３において在庫がないと判定された場合は処理を終了する。
【００４５】
ステップＳ２０２またはＳ２０３において在庫があると判定された場合は、購入管理部１２は証票情報ＤＢ１７から選ばれた証票データを仮押さえし（ステップＳ２０４）、受付管理部１１へ送信する。仮押さえの処理は、例えば販売済みフラグを「２：仮押さえに」に変更して、そのフラグの番号については他の購入処理が出来ないよう固定する。受付管理部１１は選ばれた番号を購入者端末１に送信し、モニタ画面に提示する。購入者は、購入者端末１のモニタ画面に表示された証票の番号を確認し、「購入する（ＯＫ）」または「購入しない（ＮＧ）」を選択し、受付管理部１１に送信する（ステップＳ２０５）。
【００４６】
受付管理部１１は、購入者端末１からＯＫの信号を受信した場合は、購入管理部１２へ販売する証票の組み合わせの決定を指示し、購入管理部１２は、販売する証票を決定する（ステップＳ２０６）。この時販売フラグが「２」から「１」に変更される。なお、販売する証票を決定する際、購入者が希望する証票のすべての条件を指定していない場合は、販売単位が埋まるように販売する証票を決定する。
【００４７】
販売する証票の決定後、会員の証票購入に関する代金の決済を行うように決済管理部１３に指示し、これにより、電子決済サーバ３において、購入代金の電子決済が実行される（ステップＳ２０７）。
【００４８】
受付管理部１１は、購入者端末１に購入申し込み受付完了を送信（通知）するとともに（ステップＳ２０８）、購入管理部１２に対して、証票情報ＤＢ１７の証票データを更新（消し込み）するよう指示する（ステップＳ２０９）。
【００４９】
「希望番号が販売済みの場合の処理（購入予約を受け付ける場合）」
次に、図３のステップＳ１０５において、購入希望の証票の希望番号および購入希望枚数の在庫を保有していない判定された場合に、証票の購入予約を受け付ける例について説明する。
【００５０】
図５は、証票の購入予約の受付処理の流れを示すフローチャートである。以下、図５を参照して、その処理の流れについて説明する。
証票の希望番号および購入希望枚数が在庫に存在しない場合、受付管理部１１は希望番号の予約を行うかどうかを選択するための画面を購入者端末１に表示し、購入者に予約するかどうかを選択させる（ステップＳ３０１）。購入者が予約を希望し、購入者端末１から予約を希望する旨の情報を送信した場合は、受付管理部１１は購入管理部１２に予約の受け付けを指示する。
【００５１】
購入予約が行われた場合は、購入管理部１２は証票情報ＤＢ１７に予約情報として購入申込条件の情報を会員の識別情報に対応付けてデータベース等に登録する（ステップＳ３０２）。なお、購入予約が行われなかった場合は、図３のステップＳ１１１に移行する。
【００５２】
証票情報ＤＢ１７に予約情報が登録されると、販売状況管理部１５は、販売状況や予約状況（証票情報ＤＢ１７参照）から証票を追加発行するか否かを判定する（ステップＳ３０３）。例えば、残りの販売枚数が所定の閾値以下になった場合には追加発行すると判定する。
【００５３】
追加発行する場合は、証票情報ＤＢ１７に追加発行単位（ユニット単位：例えば組が００〜９９でそれぞれの組について１０万枚の番号が割当てられる）で証票情報を追加する（ステップＳ３０４）。なお、追加発行しない場合は、図３のステップＳ１１１に移行する。
【００５４】
そして、購入管理部１２は予約の受け付け順に購入処理を行う。この際に、購入管理部１２は、予約の有無を予約情報を登録したデータベースにおいて確認し（ステップＳ３０５）、組と番号の組合せから証票情報ＤＢ１７に「販売済み＝０」として残っている在庫の有無を確認し（ステップＳ３０６）、販売する証票を決定する（ステップＳ３０７）。なお、販売する証票を決定する際、購入者が希望する証票のすべての条件を指定していない場合は、販売単位（追加発行単位）がうまるように販売する証票を決定する。
【００５５】
販売する証票の決定後、会員の証票購入に関する代金の決済を行うように決済管理部１３に指示し、これにより、電子決済サーバ３において、購入代金の電子決済が実行される（ステップＳ３０８）。
その後、購入管理部１２は、証票情報ＤＢ１７の証票データを更新（消し込み）する（ステップＳ３０９）。
【００５６】
「希望番号が販売済みの場合の処理（販売可能な番号のみ販売する場合）」
次に、図３のステップＳ１０５において、購入希望の証票（宝くじ等）の希望番号および購入希望枚数の在庫を保有していない判定された場合に、販売可能な番号のみ販売する例について説明する。
【００５７】
図６は、販売可能な番号のみ販売する処理の流れを示すフローチャートである。以下、図６を参照して、その処理の流れについて説明する。
希望番号の一部の証票のみが「販売済み＝０」となって証票情報ＤＢ１７に在庫として存在する場合、受付管理部１１は在庫に存在する証票のみを購入するか否かの選択画面を購入者端末１に表示し、購入者に選択させる（ステップＳ４０１）。
【００５８】
購入者が一部購入を選択し、受付管理部１１が購入者端末１から、購入する旨の情報を受信した場合には、受付管理部１１は購入管理部１２へ販売する証票の組み合わせの決定を指示し、購入管理部１２は、販売する証票を決定する（ステップＳ４０２）。この際に、販売する証票を決定する際、購入者が希望する証票のすべての条件を指定していない場合は、販売単位が埋まるように販売する証票を決定する。なお、ステップＳ４０１において、購入者が一部購入しないことを選択した場合には、図３のステップＳ１１１に移行する。
【００５９】
販売する証票の決定後、購入管理部１２は、会員の証票購入に関する代金の決済を行うように決済管理部１３に指示し、これにより、電子決済サーバ３において、購入代金の電子決済が実行される（ステップＳ４０３）。
【００６０】
受付管理部１１は、購入者端末１に購入申し込み受付完了を送信（通知）するとともに（ステップＳ４０４）、購入管理部１２に対して、証票情報ＤＢ１７の証票データを更新（消し込み）するよう指示する（ステップＳ４０５）。
【００６１】
なお、上述した、図４、図５、および図６に示した処理は、これらの処理を組み合わせて使用するようにしても。また、希望番号の変更を購入者に確認しないようにすることもできる。また、図５に示す処理において、追加発売するか否かは、販売状況、発売期間、暦の曜日および六曜の情報、気象情報を参照して決定してもよい。
【００６２】
以上、説明したように、本発明の証票発行システムにより、購入者が希望するランダムな抽せん番号の証票を製造できるようになり、また、購入者が希望するランダムな抽せん番号の証票を容易に袋詰めして、発送できるようになる。また、要望があった番号の証票のみを製造するので、無駄な証票を製造する必要がない。
【００６３】
また、上述の証票発行システム１０は内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。
【００６４】
すなわち、証票発行システム１０における、各処理は、ＣＰＵ等の中央演算処理装置がＲＯＭやＲＡＭ等の主記憶装置に上記プログラムを読み出して、情報の加工、演算処理を実行することにより、実現されるものである。
【００６５】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６６】
以上、本発明の実施の形態について説明したが、本発明の証票発行システムは、上述の図示例にのみ限定されるものではなく、本発明の要旨を逸脱しない範囲内において種々変更を加え得ることは勿論である。
【産業上の利用可能性】
【００６７】
本発明は、購入者が希望する番号の証票（宝くじ等）の購入申込を容易に行うことができ、また、購入者の希望にあわせた証票を効果的に製造し、発送することができる効果を奏するので、本発明は、証票発行システム、証票発行方法、およびプログラム等に有用である。
【図面の簡単な説明】
【００６８】
【図１】本発明の証票発行システムの構成例を示すブロック図である。
【図２】くじ情報と証票データの例を示す図である。
【図３】証票の購入時の基本的な処理の流れを示すフローチャートである。
【図４】希望番号の自動変更処理の流れを示すフローチャートである。
【図５】証票の購入予約の受付処理の流れを示すフローチャートである。
【図６】販売可能な番号のみ販売する処理の流れを示すフローチャートである。
【符号の説明】
【００６９】
１  購入者端末
２  通信ネッワーク
３  電子決済サーバ
１０  証票発行システム
１１  受付管理部
１１ａ  Ｗｅｂページ公開部
１１ｂ  購入申込受付部
１２  購入管理部
１２ａ  在庫判定部
１２ｂ  証票組合せ決定部
１２ｃ  証票情報更新部
１３  決済管理部
１４  製造管理部
１５  販売状況管理部
１６  文書作成／送付部
１７  会員ＤＢ
１８  証票情報ＤＢ
【図１】
2006285558.tif 000003
【図２】
2006285558.tif 000004
【図３】
2006285558.tif 000005
【図４】
2006285558.tif 000006
【図５】
2006285558.tif 000007
【図６】
2006285558.tif 000008